(57)【要約】
【課題】震動や、位置のずれが発生しないバイトホルダーの提供。
【解決手段】バイトホルダー本体５と、下部チップ６１と、三軸孔ボルト６２と、バイトチップ６３と、傾斜面圧片６５と、固定ねじ６４とから構成する。バイトホルダーには、高さの異なる第一平台３１と第二平台５２を形成し、第一平台５１の定位ねじ穴５１１と、下部チップ６１の軸孔６１１と、バイトチップ６３の定位孔６３１を設けて三軸孔ボルト６２により固定する。下部チップ６１の側面を第二平台５２と密着させ、その側部を本体５の壁部５３と密着させる。傾斜面圧片６５の前側部の壁面により、バイトチップ６３の壁面を強く押圧し、頂面の定位片６５２によりバイトチップ６３の頂面を押さえ、傾斜面圧片６５の側面を本体５の壁部５３と密着させる。傾斜面圧片を固定ネジで締結すると、傾斜面６５３が第二平台壁部の面取傾斜面と接して押圧され、バイトチップは強く挟持される。
【選択図】図５
0003100216.tif 000002
【実用新案登録請求の範囲】
【請求項１】
　バイトホルダー本体と、下部チップと、三軸孔ボルトと、バイトチップと、傾斜面圧片と、固定ねじとから構成されており、
　前記バイトホルダー本体は、前縁の一方の側部に高さの異なる第一平台と第二平台が設けられており、前記第一平台は、第二平台よりも低い位置にあり、もう一方の側面には、壁部が形成されており、第一平台には、定位ねじ穴が設けられており、前記第二平台には、固定ねじ穴が設けられており、その側壁面頂端部には、面取り傾斜面を具有し、
　前記下部チップには、軸孔が設けられており、本体の第一平台と結合され、前記軸孔と第一平台の定位ねじ穴は相対しており、
　前記三軸孔ボルトには、底部にねじ山が設けられており、頂端部に近い位置には、凸縁が設けられており、前記凸縁の頂面には、定位軸が延長され、三軸孔ボルトの底部は、下部チップの軸孔を貫通して、本体の第一平台の定位ねじ穴と締結され、それにより下部チップは定位されており、
　前記バイトチップには、定位孔が設けられており、バイトチップの定位孔は、三軸孔ボルトの定位軸に嵌入して、バイトチップが定位され、
　前記傾斜面圧片には、孔が設けられており、前側部には、定位片が延長して形成されると共に後側部は傾斜面を呈しており、傾斜面圧片の該孔は、第二平台の上記固定ねじ穴と相対して第二平台と結合するものであり、その締結により傾斜面圧片後側部の傾斜面は、第二平台の面取り傾斜面により押圧されて前に移動しようとして、前側部の壁面がバイトチップの壁面を強く押し付け、頂面の定位片は、バイトチップの頂面を押さえ付ける構成をなし、
　前記固定ねじは、傾斜面圧片の孔を貫通し、第二平台の固定ねじ穴と締結されて傾斜面圧片を定位しており、
　前述の部材によりバイトホルダーが構成されていることを特徴とするバイトホルダーの改良構造。
【請求項２】
　前記平台、及び下部チップの形状は、バイトチップの形状と相対することを特徴とする請求項１に記載のバイトホルダーの構造改良。
【請求項３】
　前記下部チップ、バイトチップ、及び傾斜面圧片は、全て、本体の壁部と密着し固定されていることを特徴とする請求項１に記載のバイトホルダーの構造改良。
【請求項４】
　前記三軸孔ボルトは、てこの原理によりバイトチップを固定しており、バイトチップが受ける力を転移し、切削の安定度と、受ける力に対する強度を高めることを特徴とする請求項１に記載のバイトホルダーの構造改良。
【考案の詳細な説明】
【技術分野】
【０００１】
　本考案はバイトホルダーの構造に係り、特に切削時にぐらつかず、高い切削精密度を持つバイトホルダーの構造に関わる。
【背景技術】
【０００２】
　図１、２に示すように、公知構造のバイトホルダーの構造は、バイトホルダーの本体１の前縁にバイトチップ定位孔１１、及び定位ねじ穴１２が設けられており、前記バイトチップ定位孔１１には、順番に、下部チップ２１、ボルト２２、及びバイトチップ２３が結合されており、定位ねじ穴１２には、順番に、Ｃ型リング２４、夾角型の圧片２５、及び定位ねじ２６が接合されており、前記夾角型の圧片２５は、バイトチップ２３を押さえ付けている。
【０００３】
　バイトホルダー本体１前縁には、Ｔ型の壁部１３が形成されており、前記壁部１３は夾角型の圧片２５と密着しており、夾角型圧片２５に発生する後ろ方向への力を受ける。
【０００４】
　前述のバイトホルダーの構造により、切削を行うことは可能であるが、実施上以下の欠点がある。
【０００５】
　前記バイトチップ２３は夾角型の圧片２５のみによって押さえ付けられるので、作業時に容易にぐらつき、受ける力に不均衡が起こり、結果、切削の精密度と安定度に悪い影響を与え、バイトチップ２３が切削の工程において絶えずぐらつくので、容易に角が欠けたり、破損したりする心配があり、定位ねじは、固定位置の修正を行うために隙間があり、そのため夾角型の圧片は絶えず震動し、緩んだり、断裂したりする心配がある。
【０００６】
　前記バイトホルダー本体１には、Ｔ型の壁部１３が設けられており、力を受ける時の安定度を高めているが、前記Ｔ型の壁部１３は、バイトホルダー本体１の設計上の制限により、厚みを増やすことが不可能であり、また定位ボルトでは高圧力に耐えることができず、圧力面は全て壁部によって支えられるため、強度不足のために容易に壁部が破損してしまい、長期的な切削や負荷の大きい切削を行うことはできない。
【０００７】
　図３，４は、もう一つの公知構造のバイトホルダーの構造を示す図であり、主な特徴は、バイトホルダー本体３の前縁に２段の階層が設けられており、底部階層３１には、偏心定位軸孔３３が設けられており、後部階層３２には、定位ねじ穴３４が設けられており、前記偏心定位軸孔３３には、順番に、下部チップ４１、定位ボルト４２、及びバイトチップ４３が結合しており、前記定位ボルト４２は、傾斜面を具有し、定位ねじ穴３４内には、ボルト４４が締結されており、前記ボルト４４のもう一端には、くちばし形圧板４５が固定されており、前記くちばし形圧板４５はバイトチップ４３の表面を押さえ付ける作用を有してているが、前記構造は以下のような欠点を持つ。
【０００８】
　前記バイトチップ４３は定位ボルト４２によって直接定位されており、その定位の精度は高いものであるが、前記偏心定位軸孔３３と定位ボルト４２との間には、やはり隙間が残っており、バイトチップ４３が直接力を受ける際、容易に緩んだり、破損したりし、前記バイトチップ４３は、間接的に固定されているだけなので、バイトチップ４３を設置した後でもやはりぐらついた状態にあり、くちばし形圧板４５のみによって押さえ付けられているので、バイトチップ４３とバイトホルダー本体３との間には一定の空間があり、バイトホルダー３は容易に震動し、位置がずれたり、破損したりする。
【０００９】
　定位ボルト４２の傾斜面により、偏心定位軸孔３３内に安定的に固定されているが、壁部３５とバイトチップ４３の、受ける力の方向と、厚みに問題があるため、比較的大きな力に耐えることができず、バイトチップ４３を負荷の大きい切削に用いることはできず、そのような条件で用いた場合、壁部３５は破損してしまう。
【考案の開示】
【考案が解決しようとする課題】
【００１０】
　前記公知構造の欠点を解決するため、本考案は、定位ねじ穴と、下部チップの軸孔と、バイトチップの定位孔を同一直線上に設置し、それらの密接度を高め、震動や、位置のずれが発生しないバイトホルダーの構造改良を提供することを主な課題とする。
【００１１】
　斜面の原理を利用し、力を受ける面、及び力を受ける角度を転移させ、壁部に厚みを持たせることにより、受ける力に対する強度を数倍以上高め、破損する心配がないバイトホルダーの構造改良を提供することをもう一つの課題とする。
【００１２】
　解体が簡単で、安定度が高く、バイトチップの定位と固定の効果が更に高く、位置がずれたり、切削時に震動したりすることのないバイトホルダーの構造改良を提供することをもう一つの課題とする。
【００１３】
　長期的に比較的深い切削方式の作業を行うことが可能で、破損や、誤差の発生がないバイトホルダーの構造改良を提供することをもう一つの課題とする。
【００１４】
　切削時に発生する高熱のために変形し、バイトチップの角度がずれたり、精度を欠いたりすることのないバイトホルダーの構造改良を提供することをもう一つの課題とする。
【課題を解決するための手段】
【００１５】
　前記課題を解決するために、本考案は、バイトホルダー本体と、下部チップと、三軸孔ボルトと、バイトチップと、傾斜面圧片と、固定ねじとから構成されている。前記バイトホルダー本体は、前縁の側部に高さの異なる第一平台、第二平台が設けられており、前記第一平台は、第二平台よりも低く、もう一方の側部には、壁部が形成されている。前記第一平台には、定位ねじ穴が設けられており、第二平台には、固定ねじ穴が設けられており、側壁面頂端部は、面取り傾斜面を具有している。前記下部チップの中央には、軸孔が設けられており、下部チップは、本体前縁の第一平台と結合しており、前記軸孔と第一平台の定位ねじ穴は相対している。前記三軸孔ボルトの底部にはねじ山が設けられており、頂端部に近い位置には、凸縁が設けられており、前記凸縁の頂面には、定位軸が伸びており、三軸孔ボルトの底端は、下部チップの軸孔に貫通し、本体の第一平台の定位ねじ穴と締結されており、それにより、三軸孔ボルトの凸縁は下部チップの頂面を押さえ付けており、バイトチップは、三軸孔ボルトの頂端部の定位軸と結合しており、バイトチップ、及び下部チップは、第一平台上に定位されており、本体前縁の壁部と密着している。前記傾斜面圧片には、孔が設けられており、前側部には、定位板が伸びており、後側部は、傾斜面を呈しており、傾斜面圧片は、第二平台と結合しており、傾斜面圧片の前側部の定位板は、バイトチップの頂面を強く押さえ付け、傾斜面圧片後側部の傾斜面は、第二平台の傾斜面により、前に移動しようとし、バイトチップの壁面と緊密に密着し、いかなる隙間も存在せず、固定ねじは、傾斜面圧片の孔を貫通し、第二平台の固定ねじ穴を締結し、それにより傾斜面圧片は定位されており、本体の壁部と密着し、固定されている。このため、三軸孔ボルト、及び傾斜面圧片により、バイトチップ、下部チップ、傾斜面圧片はすべて、本体と緊密に結合しており、切削時に受ける力を平均化し、震動の発生がなく、高い安定度と、強い切削を維持することが可能である。
【考案の効果】
【００１６】
　第一平台の定位ねじ穴と、下部チップの軸孔と、バイトチップの定位孔が同一直線上に設置されているので、密接度が高く、震動や、位置のずれが発生しない。
【００１７】
　てこの原理によりバイトチップが定位されており、力を受ける面、及び力を受ける角度を転移させることができ、壁部の厚みと面積を増やすことで、受ける力に対する強度を数倍以上高め、破損する心配がない。
【００１８】
　バイトチップの解体が簡単で、安定度が高く、バイトチップの定位と固定の効果が更に高く、位置がずれたり、切削時に震動したりすることがない。
【００１９】
　長期的に比較的深い切削方式の作業を行うことが可能で、破損や、誤差の発生がない。
【考案を実施するための最良の形態】
【００２０】
　本考案は、バイトホルダー本体と、下部チップと、三軸孔ボルトと、バイトチップと、傾斜面圧片と、固定ねじとから構成されている。前記バイトホルダー本体は、前縁の側部に高さの異なる第一平台、第二平台が設けられており、前記第一平台は、第二平台よりも低く、もう一方の側部には、壁部が形成されている。前記第一平台には、定位ねじ穴が設けられており、第二平台には、固定ねじ穴が設けられており、側壁面頂端部は、面取り傾斜面を具有している。前記下部チップの中央には、軸孔が設けられており、下部チップは、本体前縁の第一平台と結合しており、前記軸孔と第一平台の定位ねじ穴は相対している。前記三軸孔ボルトの底部にはねじ山が設けられており、頂端部に近い位置には、凸縁が設けられており、前記凸縁の頂面には、定位軸が伸びており、三軸孔ボルトの底端は、下部チップの軸孔に貫通し、本体の第一平台の定位ねじ穴と締結されており、それにより、三軸孔ボルトの凸縁は、下部チップの頂面を押さえ付けており、バイトチップは、三軸孔ボルトの頂端部の定位軸と結合しており、バイトチップ、及び下部チップは、第一平台上に定位されており、本体前縁の壁部と密着している。前記傾斜面圧片には、孔が設けられており、前側部には、定位板が伸びており、後側部は、傾斜面を呈しており、傾斜面圧片は、第二平台と結合しており、傾斜面圧片の前側部の定位板は、バイトチップの頂面を強く押さえ付け、傾斜面圧片後側部の傾斜面は、第二平台の傾斜面により、前に移動しようとし、バイトチップの壁面と緊密に密着し、いかなる隙間も存在せず、固定ねじは、傾斜面圧片の孔を貫通し、第二平台の固定ねじ穴を締結し、それにより傾斜面圧片は定位されており、本体の壁部と密着し、固定されている。このため、三軸孔ボルト、及び傾斜面圧片により、バイトチップ、下部チップ、傾斜面圧片はすべて、本体と緊密に結合しており、切削時に受ける力を平均化し、震動の発生がなく、高い安定度と、強い切削を維持することが可能であり、本考案の好適な実施例を図面に沿って説明する。
【実施例１】
【００２１】
　図５〜７は、本考案におけるバイトホルダーの構造改良の分解図、及び立体図を示すものであり、主に、バイトホルダー本体５と、下部チップ６１と、三軸孔ボルト６２と、バイトチップ６３と、傾斜面圧片６５と、固定ねじ６４とから構成されている。
【００２２】
　前記バイトホルダー本体５は、前縁の片側の側部に高さの異なる第一平台５１と第二平台５２が設けられており、前記第一平台５１は、第二平台５２よりも低い位置にあり、もう片側の側面には、壁部５３が形成されており、前記壁部５３は、第一平台５１、及び第二平台５２の側辺に設けられており、前記第一平台５１の形状は、バイトチップ６３の形状と対応しており、第一平台５１には、定位ねじ穴５１１が設けられており、前記第二平台５２には、固定ねじ穴５２１が設けられており、その側壁面頂端部には、面取り傾斜面５２２を具有している。
【００２３】
　前記下部チップ６１には、軸孔６１１が設けられており、その形状は、バイトチップ６３の形状と対応しており、下部チップ６１は、本体５の第一平台５１と結合され、前記軸孔６１１と第一平台５１の定位ねじ穴５１１は相対しており、下部チップ６１の側面は、第二平台５２側面と密着しており、その側部は本体５の壁部５３とも密着している。
【００２４】
　前記三軸孔ボルト６２には、底部にねじ山６２１が設けられており、頂端部に近い位置には、凸縁６２２が設けられており、前記凸縁６２２の頂面には、定位軸６２３が伸びており、三軸孔ボルト６２の底部は、下部チップ６１の軸孔６１１を貫通し、本体５の第一平台５１の定位ねじ穴５１１と締結されており、三軸孔ボルト６２の凸縁６２２は下部チップ６１の頂端表面を押圧し、下部チップ６１の上下両端面は、それぞれ、第一平台５１、及び三軸孔ボルト６２の凸縁６２２と緊密に密着し、全く隙間がない。
【００２５】
　前記バイトチップ６３には、定位孔６３１が設けられており、バイトチップ６３の定位孔６３１は、三軸孔ボルト６２の定位軸６２３に嵌入し、バイトチップ６３は定位されており、その頂面は、バイトホルダー本体５の頂面とぴったり合っており、底面は、三軸孔ボルト６２の凸縁６２２と密着しており、前記バイトチップ６２の一方の側面は本体５の壁部５３と密着している。
【００２６】
　前記傾斜面圧片６５には、孔６５１が設けられており、前側部には、定位片６５２が伸びており、後側部は、傾斜面６５３を呈しており、傾斜面圧片６５は、第二平台５２と結合して、傾斜面圧片６５の孔６５１は、第二平台５２の固定ねじ穴５２１と相対しており、傾斜面圧片６５後側部の傾斜面６５３は、第二平台５２の面取り傾斜面５２２により前に押圧されて移動しようとし、前側部の壁面はバイトチップ６３の壁面を強く押し付け、頂面の定位片６５２は、バイトチップ６３の頂面を押さえ付け、傾斜面圧片６５は、てこの原理により、バイトチップ６３を固定しており、前記傾斜面圧片６５の側面は、本体５の壁部５３と密着している。
【００２７】
　前記固定ねじ６４は、傾斜面圧片６５の孔６５１を貫通し、第二平台５２の固定ねじ穴５２１に締結されて傾斜面圧片６５を定位しており、バイトチップ６３は、三軸孔ボルト３の凸縁６２２と傾斜面圧片６５の定位片６５２との間に強く挟持されている。
【００２８】
　前述の構成により、本考案のバイトホルダーの構造改良は、形成されている。
【００２９】
　図６、のＡ，Ｂは、本考案におけるバイトホルダーの改良構造の実施の様子を示すものであり、前記バイトチップ６３、下部チップ６１、傾斜面圧片６５、バイトホルダー本体５の接触面は、皆、緊密に密着しており、いかなる隙間もなく、切削物７を切削加工する時、前記バイトチップ６３、下部チップ６１、及びバイトホルダー本体５が受ける力は、平均化され、震動の発生がなく、バイトチップ６３が簡単にずれることがなく、高い切削の安定度を維持することができ、大きな面積の傾斜面圧片６５を利用し、てこの原理によりバイトチップ６３を固定し、バイトチップ６３との接触面には、全く隙間がないので、直接バイトチップ６３の後ろへの力８に耐えることができ、作業時の震動による疲労の発生を減少し、前記バイトチップ６３、下部チップ６１、及び傾斜面圧片６５は全て本体５の壁部５３と密着しており、本体５の壁部５３は、面積と厚さが共に大きいので、前記壁部は、破損しにくく、切削時のバイトチップ６３が受ける力を大幅に上げ、切削工程を更に強化することが可能である。
【図面の簡単な説明】
【００３０】
【図１】公知構造における切削ホルダーの構造を示す分解図である。
【図２】公知構造における切削ホルダーの構造を示す立体図である。
【図３】公知構造における切削ホルダーの構造を示すもう一つの分解図である。
【図４】公知構造における切削ホルダーの構造を示すもう一つの立体図である。
【図５】本考案における切削ホルダーの改良構造を示す分解図である。
【図６】本考案における切削ホルダーの改良構造を示す立体図である。Ａ、Ｂは、組み立てた状態でチップの受ける力を示す。
【図７】本考案における圧片の斜面の原理を示す断面図である。
【符号の説明】
【００３１】
　１　　　バイトホルダー本体
　１１　　バイトチップ定位孔
　１２　　定位ねじ穴
　１３　　壁部
　２１　　下部チップ
　２２　　ボルト
　２３　　バイトチップ
　２４　　Ｃ型リング
　２４１　Ｃ型リング
　２５　　圧片
　２６　　定位ねじ
　３　　　バイトホルダー本体
　３１　　低部階層
　３２　　高部階層
　３３　　偏心定位軸孔
　３４　　定位ねじ穴
　３５　　壁部
　４１　　下部チップ
　４２　　定位ボルト
　４３　　バイトチップ
　４４　　ボルト
　４５　　くちばし形圧板
　５　　　バイトホルダー本体
　５１　　第一平台
　５１１　定位ねじ穴
　５２　　第二平台
　５２１　固定ねじ穴
　５２２　面取り傾斜面
　５３　　壁部
　６１　　下部チップ
　６１１　軸孔
　６２　　三軸孔ボルト
　６２１　ねじ山
　６２２　凸縁
　６２３　定位軸
　６３　　バイト
　６３１　定位孔
　６４　　固定ねじ
　６５　　傾斜面圧片
　６５１　孔
　６５２　定位片
　６５３　傾斜面
　７　　　切削物
　８　　　力
【図１】
0003100216.tif 000003
【図２】
0003100216.tif 000004
【図３】
0003100216.tif 000005
【図４】
0003100216.tif 000006
【図５】
0003100216.tif 000007
【図６】
0003100216.tif 000008
【図７】
0003100216.tif 000009
【手続補正書】
【提出日】平成15年9月25日(2003.9.25)
【手続補正１】
【補正対象書類名】実用新案登録請求の範囲
【補正対象項目名】請求項２
【補正方法】変更
【補正の内容】
【請求項２】
　前記平台、及び下部チップの形状は、バイトチップの形状と相対することを特徴とする請求項１に記載のバイトホルダーの改良構造。
【手続補正２】
【補正対象書類名】実用新案登録請求の範囲
【補正対象項目名】請求項３
【補正方法】変更
【補正の内容】
【請求項３】
　前記下部チップ、バイトチップ、及び傾斜面圧片は、全て、本体の壁部と密着し固定されていることを特徴とする請求項１に記載のバイトホルダーの改良構造。
【手続補正３】
【補正対象書類名】実用新案登録請求の範囲
【補正対象項目名】請求項４
【補正方法】変更
【補正の内容】
【請求項４】
　前記三軸孔ボルトは、てこの原理によりバイトチップを固定しており、バイトチップが受ける力を転移し、切削の安定度と、受ける力に対する強度を高めることを特徴とする請求項１に記載のバイトホルダーの改良構造。